(57)【特許請求の範囲】
【請求項１】
液晶パネルと
背面から前記液晶パネルを照射するバックライトと、
前記バックライトと液晶パネルを収納するフレームと、
前記液晶パネルの端部と前記フレームとの間に設けられた遮光性樹脂と、を備え、
前記フレームの内壁が傾斜壁であり、該傾斜壁と前記液晶パネルの間に前記遮光性樹脂が設けられたことを特徴とする液晶表示装置。
【請求項２】
前記フレームの前記液晶パネルと接着する面に前記遮光性樹脂を貯める凹部が形成された請求項１に記載の液晶表示装置。
【請求項３】
前記遮光性樹脂を被覆するように樹脂層が形成されたことを特徴とする請求項１または２に記載の液晶表示装置。
【請求項４】
前記遮光性樹脂が自然硬化性樹脂であることを特徴とする請求項１〜３のいずれか一項に記載の液晶表示装置。
【発明の詳細な説明】
【技術分野】
【０００１】
本発明は、液晶パネルとバックライトを備えた液晶表示装置に関する。
【背景技術】
【０００２】
近年、携帯電話などのモバイル通信端末の表示画面は大画面化が進んでいる。タッチパネルを備えたモバイル通信端末機種も増えている。これらに用いられる表示装置には液晶表示装置が多く用いられており、大画面の特徴を生かすために表示画面以外の領域を減らす手法が求められている。
【０００３】
従来の液晶表示装置の拡大断面図を図６に示す。液晶パネル１は、上偏光板１１、上ガラス１２、下ガラス１３、下偏光板１４から構成されている。バックライト２は導光板１８の上方に輝度上昇フィルム１５、１６、拡散板１７が配置され、導光板１８の下方に反射板１９が配置されている。図示しないが、導光板１８の側面にはＬＥＤなどの光源が配置されている。バックライト２の各部材はフレーム３によって保持されており、液晶パネル１とバックライト２は遮光両面テープ４によって接着されている。遮光両面テープ４は中央部には開口があり、開口部がバックライト２の発光エリアとなる。一般的には、遮光両面テープ４の線幅を狭くして、小型かつ大画面化を実現している（例えば、特許文献１を参照）。
【先行技術文献】
【特許文献】
【０００４】
【特許文献１】特許第３３２２５７９号公報
【発明の概要】
【発明が解決しようとする課題】
【０００５】
一般的な液晶表示装置では、光源から出射した光は導光板１８の内部を導波し、導光板１８の内部に形成された反射構造体によって液晶パネル１側へ出射される。しかし、一部の光は液晶パネル１側へ照射されずに、導光板１８の端面から出射する。導光板１８の端面から出射した光２０は、液晶パネル１とフレーム３の隙間から出射する。この光２０は液晶パネル１を通過しないため、表示画面に比べて輝度が高く、光が漏れているように見える。この「光漏れ」が発生すると表示品位を大きく低下することとなる。
【課題を解決するための手段】
【０００６】
本発明においては、上記の課題を解決するために以下の構成とした。
液晶パネルとバックライトから成る液晶表示装置において、バックライトのフレームと液晶パネルの隙間に遮光性樹脂を配置する構成とした。
【０００７】
さらに、バックライトのフレームには遮光性樹脂が液晶パネルへ浸透しないように凹部を形成した。
さらに、バックライトのフレームには遮光性樹脂を流し込むための傾斜壁を形成した。
さらに、遮光性樹脂は黒色や銀色の顔料を含むシリコン樹脂とした。
さらに、遮光性樹脂を別の樹脂にて被覆する構成とした。
さらに、遮光性樹脂の代わりに遮光性材料を凹部に配置し、樹脂にて被覆する構成とした。
【発明の効果】
【０００８】
本発明によれば、フレームと液晶パネルの隙間から漏れ光が発生せず、表示品位の高い液晶表示装置が実現できる。
【図面の簡単な説明】
【０００９】
【図１】実施例１の液晶表示装置を説明する正面図である。
【図２】実施例１の液晶表示装置の部分拡大断面図である。
【図３】実施例２の液晶表示装置の部分拡大断面図である。
【図４】実施例３の液晶表示装置の部分拡大断面図である。
【図５】実施例４の液晶表示装置の部分拡大断面図である。
【図６】従来の液晶表示装置の部分拡大断面図である。
【発明を実施するための形態】
【００１０】
本発明の液晶表示装置は、液晶パネルとバックライトがフレームに収納された構成である。液晶パネルの端部とフレームとの間に、バックライトから漏れる光を遮光する遮光材が設けられている。さらに、フレームに凹部を設け、この凹部に遮光材を収納することとした。遮光材として遮光性樹脂を用い、凹部に遮光性樹脂を充填することとした。あるいは、遮光材として遮光体を用い、凹部に遮光体を配置し、遮光体を覆うように樹脂を設けてもよい。
また、フレームの内壁を傾斜壁とし、傾斜壁と液晶パネルの間に遮光性樹脂を設けてもよい。
以下、本発明に係る実施例を、図面に基づいて具体的に説明する。
【実施例１】
【００１１】
図１は実施例１の液晶表示装置を説明する正面図である。図１（ａ）は液晶表示装置、図１（ｂ）は液晶パネル、図１（ｃ）はバックライトの正面図である。液晶表示装置はバックライト２と液晶パネル１を組み合わせたものである。バックライト２のフレーム３内に液晶パネル１が収納される。バックライト２の最表面に遮光両面テープ４が配置され、遮光両面テープ４によって液晶パネル１とバックライト２が接着される。バックライト２には、図示しないＬＥＤなどの光源が配置されている。ＬＥＤはＦＰＣ５に実装され、遮光両面テープ４の下方に配置される。遮光両面テープ４は中央部には開口があり、この開口がバックライト２の発光エリアとなる。
【００１２】
図２は、図１（ａ）中のＡＢ断面で切断された液晶表示装置の部分拡大断面図である。液晶パネル１は、上偏光板１１、上ガラス１２、下ガラス１３、下偏光板１４から構成されている。バックライト２は導光板１８の上方に輝度上昇フィルム１５、１６、拡散板１７が配置され、導光板１８の下方に反射板１９が配置されている。バックライト２の各部材はフレーム３によって保持される。
【００１３】
フレーム３と液晶パネル１の隙間には遮光性樹脂６が配置される。遮光性樹脂６は液晶パネル１とバックライト２を組み合わせた後に塗布される。遮光性樹脂６の塗布量が少ないと遮光性が低下する。また、塗布量が多いと液晶パネル１やバックライト２への廻り込む恐れがあるため、ディスペンサなどを用いて、適量のみ塗布されることが望ましい。
【００１４】
遮光性樹脂６は、熱硬化性樹脂やＵＶ硬化性樹脂よりも自然硬化性樹脂を用いるのが望ましい。熱硬化性樹脂を用いる場合は６０度以下の比較的低温にて硬化する樹脂を選択することが望ましい。遮光性樹脂６は遮光性を高めるために黒色や銀色の顔料を含む。遮光性を高めることができれば、色は限定されるものではない。遮光性樹脂６は、比較的粘度の高いシリコン樹脂を基材とすることが望ましい。粘度の高い樹脂を用いることで塗布領域、塗布量の制御が容易となる。
【００１５】
フレーム３と液晶パネル１の隙間に遮光性樹脂６を配置することを述べたが、液晶表示装置の４辺ともに配置しても良いし、特に光漏れの強い辺にのみ遮光性樹脂６を配置しても良い。
【実施例２】
【００１６】
図３は、実施例２の液晶表示装置を説明する部分拡大断面図である。実施例１と同一の構成要素については同一の記号を付して、説明を省略する。
【００１７】
フレーム３と液晶パネル１の隙間に遮光性樹脂６を配置している。フレーム３には、遮光性樹脂６が液晶パネル１やバックライト２へ廻り込まないように凹部８が形成される。凹部８は、フレーム３の液晶パネル１が接着される面に形成される。凹部８は液だまりとしての効果があり、遮光性樹脂６は一旦、凹部８に貯まる。遮光性樹脂６が急激に液晶パネル１およびバックライト２側へ流れ込むことを防止する。
【００１８】
さらに、フレーム３には傾斜壁７が形成される。遮光性樹脂６は傾斜壁７を伝って塗布される。傾斜壁７を形成することで遮光性樹脂６を塗布する際の「液はね」を防止する。「液はね」とは、樹脂を高い位置から滴下した際の飛散現象のことである。フレーム３に傾斜壁７と凹部８を形成することで遮光性樹脂６の塗布を制御することが容易となる。傾斜壁７の角度は垂直な面から３０度から６０度で設定されることが望ましい。凹部８の形状は図３に示したものに限定されることなく、遮光性樹脂６を貯める効果がある形状であれば良い。
【００１９】
傾斜壁７および凹部８はフレーム３の形成時に射出成形などによって同時に形成することができる。フレーム３には、ポリカーボネートやポリスチレンなどの成形性の良い樹脂が選択される。
【実施例３】
【００２０】
図４は、実施例３の液晶表示装置を説明する部分拡大断面図である。他の実施例と同一の構成要素については同一の記号を付して、説明を省略する。
【００２１】
傾斜壁７を伝って、凹部８に遮光性樹脂６を塗布する。遮光性樹脂６は光漏れを防止する量があれば良く、フレーム３と液晶パネル１の隙間をすべて埋めなくても良い。遮光性樹脂６を塗布した上に、樹脂９を塗布して、フレーム３と液晶パネル１の隙間を埋める。樹脂９は遮光性樹脂６に比べて線膨張係数が小さく、安価なものを選択する。樹脂９の色は限定されることなく、透明でも良いし、白色、黒色などの着色があっても良い。
【実施例４】
【００２２】
図５は、実施例４の液晶表示装置を説明する部分拡大断面図である。他の実施例と同一の構成要素については同一の記号を付して、説明を省略する。
【００２３】
ここでは、遮光性樹脂６の代わりに遮光性材料１０を用いて、光漏れを防止する。球体もしくはシリンダ形状の遮光性材料１０を凹部８に配置し、上から樹脂９を用いて、固定する。遮光性樹脂６を用いる場合は、塗布量の制御および硬化が必要となるが、遮光性材料１０を用いる場合には、塗布量制御および硬化が不要である。製品毎の光漏れのばらつきを小さくすることができる。遮光性材料１０はシリコン樹脂などの弾力のある樹脂にて形成されていることが望ましい。このようにすることで、液晶パネル１やバックライト２を傷付けることなく配置でき、凹部８にも収まり易い。
【産業上の利用可能性】
【００２４】
液晶表示装置を備えた、モバイル通信機器などの電子機器に適応できる。
【符号の説明】
【００２５】
１  液晶パネル
２  バックライト
３  フレーム
４  遮光両面テープ
５  ＦＰＣ
６  遮光性樹脂
７  傾斜壁
８  凹部
９  樹脂
１０  遮光性材料
１１  上偏光板
１２  上ガラス
１３  下ガラス
１４  下偏光板
１５  輝度上昇フィルム
１６  輝度上昇フィルム
１７  拡散板
１８  導光板
１９  反射板
２０  漏れ光
【図１】
0005658072.tif 000002
【図２】
0005658072.tif 000003
【図３】
0005658072.tif 000004
【図４】
0005658072.tif 000005
【図５】
0005658072.tif 000006
【図６】
0005658072.tif 000007